(57)【要約】【課題】  小型化を図りつつバッテリーの耐久性を高める上で有利な表示装置を提供する。【解決手段】  表示装置１０のケース１２の裏面１２０４の上辺に、この上辺に沿って回路部１６が設けられ、ケース１２の下辺に、この下辺に沿ってバッテリー１８が設けられている。そして、これら回路部１６とバッテリー１８との間にスタンド２０および収容凹部２２が設けられている。スタンド２０は、２つの縦片２００２と、左右方向に延在しこれら２つの縦片２００２の下端を連結する１つの横片２００４とを有している。各縦片２００２は上脚２００２Ａと、上脚２００２Ａ内に出没可能に収容された下脚２００２Ｂとから上下方向に伸縮可能に構成されている。【選択図】        図５
2005031555.tif 000002
【特許請求の範囲】
【請求項１】
表面と裏面を有する板状のケースと、
前記ケースの表面を構成するように配設された表示手段と、
前記ケースの裏面に配設された回路部およびバッテリーと、
前記ケースの裏面に設けられ前記ケースを載置面に対して起立させるスタンドと、
前記ケースの裏面に設けられ前記スタンドを収容する収容凹部とを有する表示装置であって、
前記スタンドにより載置面上でケースを起立させた状態で、前記ケースの裏面の上下部のうちの一方に前記回路部が配置されるとともに、前記ケースの裏面の上下部の他方に前記バッテリーが配置され、
前記スタンドおよび収容凹部は前記回路部とバッテリーの間に配置されている、
ことを特徴とする表示装置。
【請求項２】
前記ケースは上下の辺と左右の辺とを有して矩形状を呈し、前記回路部およびバッテリーは左右に横長に形成されていることを特徴とする請求項１記載の表示装置。
【請求項３】
前記ケースは上下の辺と左右の辺とを有して矩形状を呈し、前記回路部およびバッテリーは左右に横長に形成され、前記回路部はケースの裏面で上辺に沿って左右に延在するように配置され、前記バッテリーはケースの裏面で下辺に沿って左右に延在するように配置されていることを特徴とする請求項１記載の表示装置。
【請求項４】
前記スタンドは上下方向に延在する伸縮可能な縦片を有していることを特徴とする請求項１記載の表示装置。
【請求項５】
前記スタンドは上下方向に延在する伸縮可能な縦片と、この縦片の下端に設けられ左右方向に延在して前記載置面上に載置される横片を有していることを特徴とする請求項１記載の表示装置。
【請求項６】
前記スタンドは上下方向に延在する伸縮可能な左右の縦片と、左右方向に延在してこれら左右の縦片の下端を連結し前記載置面上に載置される横片を有していることを特徴とする請求項１記載の表示装置。
【発明の詳細な説明】
【技術分野】
【０００１】
本発明はパーソナルコンピュータのディスプレイやテレビジョン受信機として好適な表示装置に関する。
【背景技術】
【０００２】
例えば、パーソナルコンピュータのディスプレイとして、液晶表示器と、該液晶表示器を駆動する液晶駆動部や外部装置との間で無線によりデータ通信を行う通信部を有する回路部と、回路部に電力を供給するバッテリーとがケースに組み込まれ、前記データ通信によって受け取ったデータに基づいて液晶表示器に映像を表示する表示装置が提供されている。この表示装置は、無線によってデータ通信を行うとともにバッテリーによって動作するため、自由に持ち運んで好きな場所で使用することができる。
そして、この表示装置は、ケースの表面に液晶表示器が配設され、ケースの裏面に前記回路部とバッテリーが組み込まれ、さらにケースを起立させるスタンドがケースの裏面に設けられている。
このような表示装置は、持ち運びを容易にするために小型化することが求められているが、ケースの裏面には、回路部、バッテリー、スタンドを配設しなくてならない。
例えば、例えば特許文献１の表示装置では、スタンドを門型に形成し、ケースの裏面でこのスタンドの中央のスペースにバッテリーを配置し、ケースの裏面の上部に回路部を配置している。
【特許文献１】特開２００２−１７１４６１号公報
【発明の開示】
【発明が解決しようとする課題】
【０００３】
すなわち、小型化が要求されているケースの限られたスペースの裏面に、回路部、バッテリー、スタンドを配置しなければならないため、回路部とバッテリーが近づかざるを得ず、回路部の熱がバッテリーに伝わりやすく、バッテリーの耐久性を高める上で不利であった。
本発明は、このような事情に鑑みなされたものであり、小型化を図りつつバッテリーの耐久性を高める上で有利な表示装置を提供することにある。
【課題を解決するための手段】
【０００４】
上述の目的を達成するため、本発明にかかる表示装置は、表面と裏面を有する板状のケースと、前記ケースの表面を構成するように配設された表示手段と、前記ケースの裏面に配設された回路部およびバッテリーと、前記ケースの裏面に設けられ前記ケースを載置面に対して起立させるスタンドと、前記ケースの裏面に設けられ前記スタンドを収容する収容凹部とを有する表示装置であって、前記スタンドにより載置面上でケースを起立させた状態で、前記ケースの裏面の上下部のうちの一方に前記回路部が配置されるとともに、前記ケースの裏面の上下部の他方に前記バッテリーが配置され、前記スタンドおよび収容凹部は前記回路部とバッテリーの間に配置されていることを特徴とする。
【発明の効果】
【０００５】
本発明では、ケースの裏面において、スタンドおよび収容凹部を、回路部とバッテリーとの間に配置することにより、回路部とバッテリーとを離間させた。そのため、回路部で発生する熱がバッテリーに伝達されにくくなり、バッテリーの耐久性を高める上で有利となる。また、ケースの裏面の限られたスペースを有効に利用して回路部、バッテリー、スタンド、収容凹部を配置したので、小型化を図る上で有利となる。
【発明を実施するための最良の形態】
【０００６】
小型化を図りつつバッテリーの耐久性を高めるという目的を、スタンド、収容凹部、回路部、バッテリーのレイアウトによる簡素な構成で実現した。
【実施例１】
【０００７】
次に本発明の実施例１について図面を参照して説明する。
図１は実施例１の表示装置の正面図、図２は実施例１の表示装置の背面図、図３は実施例１の表示装置の側面図、図４は実施例１の表示装置の構成を示すブロック図、図５は実施例１の表示装置を斜め後方から見た斜視図、図６（Ａ）はスタンドの正面図、図６（Ｂ）は図６（Ａ）のＢ矢視図、図６（Ｃ）は図６（Ａ）のＣ矢視図、図７はスタンドが延ばされた状態を示す正面図、図８（Ａ）は表示装置が起立された状態を示す側面図、図８（Ｂ）は比較例の表示装置が起立された状態を示す側面図である。
【０００８】
図１乃至図３に示すように、表示装置１０は、ケース１２と、液晶表示器１４と、回路部１６と、バッテリー１８と、スタンド２０と、収容凹部２２とを備えている。
ケース１２は表面１２０２と裏面１２０４を有し、上下の辺と左右の辺を有する矩形板状に形成され、本例では上下の辺の寸法は左右の辺の寸法よりも大となるように構成されている。
液晶表示器１４は表示面を有し該表示面に映像を表示するものであり、本発明の表示手段を構成している。液晶表示器１４は、矩形板状に形成され前記表示面によってケース１２の表面１２０２を構成するように配設され、前記表示面と対向する液晶表示器１４の背面および上下の辺および左右の辺はケース１２内に収容されている。
【０００９】
回路部１６は、図４に示すように、液晶駆動部１６０２、バックライト１６０４、バックライト駆動部１６０６、通信部１６０８、制御部１６１０、電源部１６１２などを有し、１枚、あるいは複数枚のプリント基板上に電子部品が実装されることで構成されている。
液晶駆動部１６０２は、液晶表示器１４に駆動信号を供給することで表示面に映像を表示させるように構成されている。
バックライト１６０４は、液晶表示器１４の背面側に配設され背面から表示面に向けて照明光を照射するように構成されている。
バックライト駆動部１６０６は、バックライト１６０４を駆動するように構成されており、本例ではインバータ回路で構成されている。
通信部１６０８は、外部装置との間で無線によるデータ通信を行なうことにより、液晶表示器１４に表示させる映像データを受信するように構成されている。
制御部１６１０は、例えばＣＰＵを含むマイクロコンピュータから構成され液晶駆動部１６０２、バックライト駆動部１６０６、通信部１６０８の制御を司るように構成されている。
電源部１６１２は、バッテリー１８から供給される電力に基づいて、各部、すなわち液晶駆動部１６０２、バックライト１６０４、バックライト駆動部１６０６、通信部１６０８、制御部１６１０に対応した電圧および電流を供給するように構成されている。
また、回路部１６のうち、液晶駆動部１６０２、バックライト駆動部１６０６、通信部１６０８、制御部１６１０、電源部１６１２は、動作に伴い発熱する電子部品を含んでいるため、回路部１６は動作中に熱を発生するようになっている。
【００１０】
回路部１６では、前記外部装置と通信部１６０８の間で無線によるデータ通信が行なわれ、映像データが外部装置から通信部１６０８に送信される。
通信部１６０８は受信した前記映像データに対して所定の信号処理を行ない制御部１６１０に供給する。
制御部１６１０は供給された前記映像データを液晶駆動部１６０２に供給し、液晶駆動部１６０２は前記映像データに基づいた駆動信号を生成し液晶表示器１４に供給する。
一方、バックライト１６０４は、バックライト駆動部１６０６から供給される駆動信号により照明光を液晶表示器１４の背面に照射する。
これにより、液晶表示器１４の表示面に映像が表示される。
【００１１】
回路部１６は左右に横長に形成され、ケース１２の裏面１２０４で上辺に沿って左右に延在するように配置されている。なお、上辺とは表示装置１０がスタンド２０により載置面上で起立された状態における上部の辺をいう。
バッテリー１８は左右に横長に形成され、ケース１２のケース１２の裏面１２０４で下辺に沿って左右に延在するように配置されている。なお、下辺とは表示装置１０がスタンド２０により載置面上で起立された状態における下部の辺をいう。本例では、バッテリー１８はリチウムイオン電池で構成されている。一般的にリチウムイオン電池は加熱されることによりその耐久性が影響を受ける。
【００１２】
ケース１２の裏面１２０４で回路部１６とバッテリー１８との間には、スタンド２０と収容凹部２２が設けられている。
スタンド２０は、図５に示すように、ケース１２を載置面に対して起立させるように構成されている。
図６（Ａ）乃至図６（Ｃ）に示すように、スタンド２０は、上下方向に延在する２つの縦片２００２と、左右方向に延在しこれら２つの縦片２００２の下端を連結し載置面に載置される１つの横片２００４とを有している。
各縦片２００２の上端はヒンジ２００５を介して取付部２００６に連結され、各取付部２００６はケース１２の裏面１２０４側に取着されている。
各縦片２００２は、図６（Ｃ）に示すようにヒンジ２００５を支点として揺動できるように設けられ、ヒンジ２００５には、クリック機構が設けられており、本例では、各縦片２００２がケース１２の裏面１２０４に対して０度、３０度、９０度になった場合にそれぞれ所定の力でそれらの状態が保持されるように構成されている。
また、本実施例では、各縦片２００２は上脚２００２Ａと、上脚２００２Ａ内に出没可能に収容された下脚２００２Ｂとから上下方向に伸縮可能に構成されており、図２に示すように、最も縮小した状態で収容凹部２２に収容されるように構成されている。本実施例では、図６（Ｃ）に実線で示す最も縮小した状態（短縮状態）と、図６（Ｃ）に破線で示す最も伸長した状態（伸長状態）との２段階に伸縮可能に構成され、それぞれの状態は不図示のクリック機構により所定の力で保持されるように構成されている。
【００１３】
次に表示装置１０を載置面に載置する場合の作用について説明する。
図３に示すように、収容凹部２２に収容されたスタンド２０を収容凹部２２から外方に揺動させる。本例では、スタンド２０の縦片２００２の角度を０度から３０度に揺動させ、スタンド２０の縦片２００２を短縮状態から伸長状態に伸ばす。
そして、表示装置１０のケース１２の下辺とスタンド２０の横片２００４とを載置面に載置する。
これにより、表示装置１０は、液晶表示器１４の表示面が載置面と直交する線に対して例えば６０度の傾斜角度をもって起立した状態となり、使用者によって表示面が視認できる状態となる。
また、図８（Ａ）に示すように、スタンド２０の各縦片２００２を短縮状態のままとして起立させてもよい。
すなわち、スタンド２０の縦片２００２の角度を０度から９０度に揺動させ、スタンド２０の縦片２００２を短縮状態のままで表示装置１０のケース１２の下辺とスタンド２０の横片２００４とを載置面に載置すれば、表示装置１０は、液晶表示器１４の表示面が載置面に対して例えば３０度の傾斜角度をもって起立した状態となり、使用者によって表示面が視認できる状態となる。
【００１４】
本実施例によれば、ケース１２の裏面１２０４において、スタンド２０および収容凹部２２が回路部１６とバッテリー１８の間に配置される構成とした。言い換えると、上辺に回路部１６を、下辺にバッテリー１８を配置するとともに、これら回路部１６とバッテリー１８との間にスタンド２０および収容凹部２２を配置し、ケース１２の裏面１２０４の限られたスペースを有効に利用して回路部１６とバッテリー１８とを離間させたので、回路部１６で発生する熱がバッテリー１８に伝達されにくくなり、バッテリー１８の耐久性を高める上で有利となる。
また、ケース１２の限られたスペースを有効に利用して回路部１６、バッテリー１８、スタンド２０、収容凹部２２を配置したので、小型化を図る上で有利となる。
また、回路部１６で発生する熱のバッテリー１８への伝達を阻止するために専用の部材を新たに追加する必要がなく、したがって構成が簡素でコストダウンを図る上でも有利となる。
【００１５】
図８（Ｂ）は比較例としての表示装置を示す。
比較例における表示装置のスタンド３０は本実施例と同様に、２つの縦片３００２と１つの横片３００４とを備えているが、本実施例と異なり各縦片３００２の長さが本実施例における伸長状態の縦片２００２の長さに固定されている。
この場合、液晶表示器１４の表示面が載置面に対して３０度程度の角度となるように表示装置を起立させようとすると、スタンド３０の縦片３００２とケース１２の裏面１２０４とがなす角度が例えば１１６度となる。
これに対して、本実施例では、図８（Ａ）に示すように、縦片２００２を短縮状態とすればよいため、スタンド２０の縦片２００２とケース１２の裏面１２０４とがなす角度が９０度で済む。
したがって、比較例の場合には、本実施例に比較して、縦片３００２とケース１２とを連結するヒンジに加わるトルク力がより大きなものとなってしまう。このため、比較例では、前記ヒンジの強度を上げなくてはならず本実施例に比較して部品コストが高くなる欠点があるが、本実施例ではそのようなことがなくコストを低減する上で有利となる。
すなわち、本実施例では、スタンド２０の縦片２００２を伸縮可能に構成したので、上述のようにヒンジの強度を上げる必要はなくコストを削減でき、また、実施例のように最も縮小した状態で収容するようにすると収容凹部２２を小さくでき、また、伸長した状態にすれば、従来と同様に、液晶表示器１４の表示面が載置面に対して例えば６０度の傾斜角度をもって起立した状態にできる。
【００１６】
なお、本実施例では、表示手段が液晶表示器によって構成されている場合について説明したが、表示手段としては任意のものを用いることができ、例えばプラズマディスプレイ、有機ＥＬディスプレイなどを用いることができる。
また、本実施例では、無線通信により映像データを受信するものとしたが、表示装置と外部装置をケーブルで接続し、該ケーブルを介して映像データを受信するものであってもよい。
また、本実施例では、スタンド２０の角度が０度、３０度、９０度の３段階に設定する場合について説明したが、スタンド２０の角度をどのように設定するかは任意である。
また、本実施例では、スタンド２０の縦片２００２の長さを短縮状態と伸長状態の２段階に設定する場合について説明したが、縦片２００２の長さが任意の長さに設定できるように前記係止機構を構成してもよい。
また、本実施例では、回路部１６をケース１２の裏面１２０４の上部に配置し、バッテリー１８をケース１２の裏面１２０４の下部に配置したが、回路部１６をケース１２の裏面１２０４の下部に配置し、バッテリー１８をケース１２の裏面１２０４の上部に配置してもかまわない。
また、バッテリー１８はリチウムイオン電池に限定されるものではなく、種々のバッテリーを適用できることは勿論である。
また、スタンド２０の構成は実施例のものに限定されず、例えば横片を有しないものでもよく、あるいは左右の縦片の長手方向の中間部に横片が設けられＨ型を呈するものでもよく、あるいは一本の縦片の下端に一本の横片が連結されＴ字型を呈するものや、あるいはＬ字型を呈するものなど種々の構成のスタンドに本発明は適用される。
また、本発明において、スタンド２０の縦片２００２は伸縮されない構造のものであってもよい。
また、本発明は、パーソナルコンピュータのディスプレイに限定されるものではなく、テレビジョン受信機、ビデオデッキやディスクプレーヤー、あるいは撮像装置（ビデオカメラ）などから供給される映像データに基づいて映像を表示するモニタ装置などに適用できることは無論である。
【図面の簡単な説明】
【００１７】
【図１】実施例１の表示装置の正面図である。
【図２】実施例１の表示装置の背面図である。
【図３】実施例１の表示装置の側面図である。
【図４】実施例１の表示装置の構成を示すブロック図である。
【図５】実施例１の表示装置を斜め後方から見た斜視図である。
【図６】スタンドの説明図である。
【図７】スタンドが延ばされた状態を示す正面図である。
【図８】表示装置と比較例の説明図である。
【符号の説明】
【００１８】
１０……表示装置、１２……ケース、１４……液晶表示器（表示手段）、１６……回路部、１８……バッテリー、２０……スタンド、２２……収容凹部、１２０２……表面、１２０４……裏面。
【図１】
2005031555.tif 000003
【図２】
2005031555.tif 000004
【図３】
2005031555.tif 000005
【図４】
2005031555.tif 000006
【図５】
2005031555.tif 000007
【図６】
2005031555.tif 000008
【図７】
2005031555.tif 000009
【図８】
2005031555.tif 000010